(57)【要約】【課題】  辞書情報に単語を登録する作業者の負担を軽減することができる画像形成装置および単語登録プログラムを提供する。【解決手段】  ＭＦＰは、印刷データを受け取る通信部と、通信部によって受け取られた印刷データから文字列をＳ１２３において取得する印刷データ文字列取得手段と、印刷データ文字列取得手段によって取得された文字列から自然言語処理によって単語をＳ１２４において取得する単語取得手段と、単語取得手段によって取得された単語を辞書情報にＳ１２５において登録する単語登録手段とを備えることを特徴とする。【選択図】  図６
2019061034.tif 000002
【特許請求の範囲】
【請求項１】
印刷データを受け取る通信デバイスと、
前記通信デバイスによって受け取られた前記印刷データから文字列を取得する印刷データ文字列取得手段と、
前記印刷データ文字列取得手段によって取得された前記文字列から自然言語処理によって単語を取得する単語取得手段と、
前記単語取得手段によって取得された前記単語を辞書情報に登録する単語登録手段と
を備えることを特徴とする画像形成装置。
【請求項２】
前記通信デバイスによって受け取られた前記印刷データに対して特定の処理を実行する特定処理実行手段を備え、
前記印刷データ文字列取得手段は、前記特定処理実行手段によって前記特定の処理が実行される前記印刷データから前記文字列を取得することを特徴とする請求項１に記載の画像形成装置。
【請求項３】
原稿から画像を読み取る読取デバイスと、
前記読取デバイスによって読み取られた前記画像から文字列を取得する画像文字列取得手段と、
前記画像文字列取得手段によって取得された前記文字列から自然言語処理によって単語を取得する単語取得手段と、
前記単語取得手段によって取得された前記単語を辞書情報に登録する単語登録手段と
を備えることを特徴とする画像形成装置。
【請求項４】
前記読取デバイスによって読み取られた前記画像に対して特定の処理を実行する特定処理実行手段を備え、
前記画像文字列取得手段は、前記特定処理実行手段によって前記特定の処理が実行される前記画像から前記文字列を取得することを特徴とする請求項３に記載の画像形成装置。
【請求項５】
前記特定の処理は、印刷、保存および送信の少なくとも１つであることを特徴とする請求項２または請求項４に記載の画像形成装置。
【請求項６】
前記辞書情報を使用して音声認識を実行する音声認識手段を備えることを特徴とする請求項１から請求項５までのいずれかに記載の画像形成装置。
【請求項７】
印刷データを受け取る通信デバイスを備える画像形成装置に、
前記通信デバイスによって受け取られた前記印刷データから文字列を取得する印刷データ文字列取得手段と、
前記印刷データ文字列取得手段によって取得された前記文字列から自然言語処理によって単語を取得する単語取得手段と、
前記単語取得手段によって取得された前記単語を辞書情報に登録する単語登録手段と
を実現させることを特徴とする単語登録プログラム。
【請求項８】
原稿から画像を読み取る読取デバイスを備える画像形成装置に、
前記読取デバイスによって読み取られた前記画像から文字列を取得する画像文字列取得手段と、
前記画像文字列取得手段によって取得された前記文字列から自然言語処理によって単語を取得する単語取得手段と、
前記単語取得手段によって取得された前記単語を辞書情報に登録する単語登録手段と
を実現させることを特徴とする単語登録プログラム。
【発明の詳細な説明】
【技術分野】
【０００１】
本発明は、辞書情報に単語を登録する画像形成装置および単語登録プログラムに関する。
【背景技術】
【０００２】
従来、辞書情報に単語を登録する技術として、ＣＣＤ（Ｃｈａｒｇｅ  Ｃｏｕｐｌｅｄ  Ｄｅｖｉｃｅ）カメラによって撮影された画像から文字認識によって得た単語を音声認識用の辞書情報に登録するロボット装置が知られている（例えば、特許文献１参照。）。
【先行技術文献】
【特許文献】
【０００３】
【特許文献１】特開２００３−０４４０８０号公報
【発明の概要】
【発明が解決しようとする課題】
【０００４】
音声認識には、音の情報が保存されている音響辞書と、言葉の情報が保存されている言語辞書とが利用され、これらの辞書の完成度が音声の認識の性能に影響を与える。したがって、これらの辞書は、随時更新される必要がある。
【０００５】
例えば音声認識の技術が企業で利用される場合、企業には企業毎の独自の単語が存在することがあるので、企業独自の単語が言語辞書に登録されていることが好ましい。ここで、音声認識の技術が企業で利用される場合には、企業における会話内容には社外秘となる情報が含まれる可能性があるので、セキュリティーの観点から音響辞書や言語辞書の更新は、企業内で行われることが多い。
【０００６】
しかしながら、特許文献１に記載された技術においては、辞書情報に単語を登録するためにロボット装置という特殊なデバイスが使用される必要があるので、辞書情報に単語を登録する作業者の負担が大きいという問題がある。
【０００７】
そこで、本発明は、辞書情報に単語を登録する作業者の負担を軽減することができる画像形成装置および単語登録プログラムを提供することを目的とする。
【課題を解決するための手段】
【０００８】
本発明の画像形成装置は、印刷データを受け取る通信デバイスと、前記通信デバイスによって受け取られた前記印刷データから文字列を取得する印刷データ文字列取得手段と、前記印刷データ文字列取得手段によって取得された前記文字列から自然言語処理によって単語を取得する単語取得手段と、前記単語取得手段によって取得された前記単語を辞書情報に登録する単語登録手段とを備えることを特徴とする。
【０００９】
この構成により、本発明の画像形成装置は、通信デバイスによって受け取った印刷データから取得した文字列に基づいて単語を取得するので、画像形成装置という比較的一般的なデバイスに対する印刷データの入力という比較的一般的な操作によって辞書情報に単語を登録することができ、辞書情報に単語を登録する作業者の負担を軽減することができる。
【００１０】
本発明の画像形成装置は、前記通信デバイスによって受け取られた前記印刷データに対して特定の処理を実行する特定処理実行手段を備え、前記印刷データ文字列取得手段は、前記特定処理実行手段によって前記特定の処理が実行される前記印刷データから前記文字列を取得しても良い。
【００１１】
この構成により、本発明の画像形成装置は、通信デバイスによって受け取られた印刷データに対して特定の処理を実行する場合に、特定の処理を実行するだけでなく、辞書情報への単語の登録も実行するので、辞書情報に単語を登録する作業者の負担を軽減することができる。
【００１２】
本発明の画像形成装置は、原稿から画像を読み取る読取デバイスと、前記読取デバイスによって読み取られた前記画像から文字列を取得する画像文字列取得手段と、前記画像文字列取得手段によって取得された前記文字列から自然言語処理によって単語を取得する単語取得手段と、前記単語取得手段によって取得された前記単語を辞書情報に登録する単語登録手段とを備えることを特徴とする。
【００１３】
この構成により、本発明の画像形成装置は、読取デバイスによって読み取られた画像から取得した文字列に基づいて単語を取得するので、画像形成装置という比較的一般的なデバイスに対する原稿の読み取りの指示という比較的一般的な操作によって辞書情報に単語を登録することができ、辞書情報に単語を登録する作業者の負担を軽減することができる。
【００１４】
本発明の画像形成装置は、前記読取デバイスによって読み取られた前記画像に対して特定の処理を実行する特定処理実行手段を備え、前記画像文字列取得手段は、前記特定処理実行手段によって前記特定の処理が実行される前記画像から前記文字列を取得しても良い。
【００１５】
この構成により、本発明の画像形成装置は、読取デバイスによって読み取られた画像に対して特定の処理を実行する場合に、特定の処理を実行するだけでなく、辞書情報への単語の登録も実行するので、辞書情報に単語を登録する作業者の負担を軽減することができる。
【００１６】
本発明の画像形成装置において、前記特定の処理は、印刷、保存および送信の少なくとも１つであっても良い。
【００１７】
この構成により、本発明の画像形成装置は、通信デバイスによって受け取られた印刷データ、または、読取デバイスによって読み取られた画像に対して印刷、保存および送信の少なくとも１つを実行する場合に、印刷、保存および送信の少なくとも１つを実行するだけでなく、辞書情報への単語の登録も実行するので、辞書情報に単語を登録する作業者の負担を軽減することができる。
【００１８】
本発明の画像形成装置は、前記辞書情報を使用して音声認識を実行する音声認識手段を備えても良い。
【００１９】
この構成により、本発明の画像形成装置は、辞書情報に単語を登録するだけでなく、単語を登録した辞書情報を使用して音声認識を実行するので、利便性を向上することができる。
【００２０】
本発明の単語登録プログラムは、印刷データを受け取る通信デバイスを備える画像形成装置に、前記通信デバイスによって受け取られた前記印刷データから文字列を取得する印刷データ文字列取得手段と、前記印刷データ文字列取得手段によって取得された前記文字列から自然言語処理によって単語を取得する単語取得手段と、前記単語取得手段によって取得された前記単語を辞書情報に登録する単語登録手段とを実現させることを特徴とする。
【００２１】
この構成により、本発明の単語登録プログラムを実行する画像形成装置は、通信デバイスによって受け取った印刷データから取得した文字列に基づいて単語を取得するので、画像形成装置という比較的一般的なデバイスに対する印刷データの入力という比較的一般的な操作によって辞書情報に単語を登録することができ、辞書情報に単語を登録する作業者の負担を軽減することができる。
【００２２】
本発明の単語登録プログラムは、原稿から画像を読み取る読取デバイスを備える画像形成装置に、前記読取デバイスによって読み取られた前記画像から文字列を取得する画像文字列取得手段と、前記画像文字列取得手段によって取得された前記文字列から自然言語処理によって単語を取得する単語取得手段と、前記単語取得手段によって取得された前記単語を辞書情報に登録する単語登録手段とを実現させることを特徴とする。
【００２３】
この構成により、本発明の単語登録プログラムを実行する画像形成装置は、読取デバイスによって読み取られた画像から取得した文字列に基づいて単語を取得するので、画像形成装置という比較的一般的なデバイスに対する原稿の読み取りの指示という比較的一般的な操作によって辞書情報に単語を登録することができ、辞書情報に単語を登録する作業者の負担を軽減することができる。
【発明の効果】
【００２４】
本発明の画像形成装置および単語登録プログラムは、辞書情報に単語を登録する作業者の負担を軽減することができる。
【図面の簡単な説明】
【００２５】
【図１】本発明の一実施の形態に係る単語登録システムのブロック図である。
【図２】ＭＦＰである場合の、図１に示す画像形成装置のブロック図である。
【図３】図１に示すコンピューターのブロック図である。
【図４】スキャナーによって原稿から読み取った画像のデータを通信部経由でコンピューターに送信する場合の、図２に示す画像形成装置の動作のフローチャートである。
【図５】図４に示す動作において原稿から読み取られた画像の一例を示す図である。
【図６】通信部によって受け取った印刷データに基づいてプリンターによって記録媒体に画像を印刷する場合の、図２に示す画像形成装置の動作のフローチャートである。
【図７】図６に示す動作において扱われる印刷データの一例を示す図である。
【図８】音声認識を実行する場合の、図２に示す画像形成装置の動作のフローチャートである。
【発明を実施するための形態】
【００２６】
以下、本発明の実施の形態について、図面を用いて説明する。
【００２７】
まず、本発明の一実施の形態に係る単語登録システムの構成について説明する。
【００２８】
図１は、本実施の形態に係る単語登録システム１０のブロック図である。
【００２９】
図１に示すように、単語登録システム１０は、画像形成装置２０と、ＰＣ（Ｐｅｒｓｏｎａｌ  Ｃｏｍｐｕｔｅｒ）などのコンピューター３０とを備えている。
【００３０】
画像形成装置２０と、コンピューター３０とは、ＬＡＮ（Ｌｏｃａｌ  Ａｒｅａ  Ｎｅｔｗｏｒｋ）、インターネットなどのネットワーク経由で互いに通信可能である。
【００３１】
画像形成装置２０は、例えば、ＭＦＰ（Ｍｕｌｔｉｆｕｎｃｔｉｏｎ  Ｐｅｒｉｐｈｅｒａｌ）、プリンター専用機、スキャナー専用機、コピー専用機またはファックス専用機である。
【００３２】
単語登録システム１０は、画像形成装置２０以外にも、画像形成装置２０と同様な画像形成装置を１つ以上備えることが可能である。
【００３３】
単語登録システム１０は、コンピューター３０以外にも、コンピューター３０と同様なコンピューターを１つ以上備えることが可能である。
【００３４】
図２は、ＭＦＰである場合の画像形成装置２０のブロック図である。
【００３５】
図２に示すように、画像形成装置２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ネットワーク経由で、または、ネットワークを介さずに有線または無線によって直接に、外部の装置と通信を行う通信デバイスである通信部２６と、各種の情報を記憶する半導体メモリー、ＨＤＤ（Ｈａｒｄ  Ｄｉｓｋ  Ｄｒｉｖｅ）などの不揮発性の記憶デバイスである記憶部２７と、画像形成装置２０全体を制御する制御部２８とを備えている。
【００３６】
記憶部２７は、音声認識用に音の情報が保存されている音響辞書２７ａを記憶可能である。記憶部２７は、音響辞書２７ａ以外にも、音響辞書２７ａと同様な音響辞書を少なくとも１つ記憶可能である。記憶部２７は、音声認識を利用する利用者毎の音響辞書を記憶可能である。記憶部２７は、例えば特定の会議用の音響辞書など、音声認識が利用されるイベント毎の音響辞書を記憶可能である。記憶部２７は、例えば特定の会議室用の音響辞書など、音声認識が利用される場所毎の音響辞書を記憶可能である。
【００３７】
記憶部２７は、音声認識用に言葉の情報が保存されている言語辞書２７ｂを記憶可能である。記憶部２７は、言語辞書２７ｂ以外にも、言語辞書２７ｂと同様な言語辞書を少なくとも１つ記憶可能である。記憶部２７は、音声認識を利用する利用者毎の言語辞書を記憶可能である。記憶部２７は、例えば特定の会議用の言語辞書など、音声認識が利用されるイベント毎の言語辞書を記憶可能である。記憶部２７は、例えば特定の会議室用の言語辞書など、音声認識が利用される場所毎の言語辞書を記憶可能である。
【００３８】
記憶部２７は、辞書情報としての言語辞書に単語を登録するための単語登録プログラム２７ｃを記憶している。単語登録プログラム２７ｃは、例えば、画像形成装置２０の製造段階で画像形成装置２０にインストールされていても良いし、ＵＳＢ（Ｕｎｉｖｅｒｓａｌ  Ｓｅｒｉａｌ  Ｂｕｓ）メモリーなどの外部の記憶媒体から画像形成装置２０に追加でインストールされても良いし、ネットワーク上から画像形成装置２０に追加でインストールされても良い。
【００３９】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００４０】
制御部２８は、単語登録プログラム２７ｃを実行することによって、スキャナー２４によって読み取られた画像から文字列を取得する画像文字列取得手段２８ａと、通信部２６によって受け取られた印刷データから文字列を取得する印刷データ文字列取得手段２８ｂと、画像文字列取得手段２８ａまたは印刷データ文字列取得手段２８ｂによって取得された文字列から自然言語処理によって単語を取得する単語取得手段２８ｃと、単語取得手段２８ｃによって取得された単語を言語辞書に登録する単語登録手段２８ｄと、スキャナー２４によって読み取られた画像、または、通信部２６によって受け取られた印刷データに対して特定の処理を実行する特定処理実行手段２８ｅと、言語辞書を使用して音声認識を実行する音声認識手段２８ｆとを実現する。
【００４１】
図３は、コンピューター３０のブロック図である。
【００４２】
コンピューター３０は、種々の操作が入力されるキーボード、マウスなどの入力デバイスである操作部３１と、種々の情報を表示するＬＣＤなどの表示デバイスである表示部３２と、マイクなどの音声入力デバイスとしての音声入力部３３と、ネットワーク経由で、または、ネットワークを介さずに有線または無線によって直接に、外部の装置と通信を行う通信デバイスである通信部３４と、各種の情報を記憶する半導体メモリー、ＨＤＤなどの不揮発性の記憶デバイスである記憶部３５と、画像形成装置２０全体を制御する制御部３６とを備えている。
【００４３】
記憶部３５は、画像形成装置２０（図２参照。）用の印刷データを生成するためのプリンタードライバー３５ａを記憶している。
【００４４】
記憶部３５は、画像形成装置２０による音声認識を利用するアプリケーションプログラムとしての音声認識アプリ３５ｂを記憶している。記憶部３５は、音声認識アプリ３５ｂ以外にも、画像形成装置２０による音声認識を利用する音声認識アプリを少なくとも１つ記憶することができる。
【００４５】
プリンタードライバー３５ａおよび音声認識アプリは、それぞれ、例えば、コンピューター３０の製造段階でコンピューター３０にインストールされていても良いし、ＵＳＢメモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター３０に追加でインストールされても良いし、ネットワーク上からコンピューター３０に追加でインストールされても良い。
【００４６】
制御部３６は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３５に記憶されているプログラムを実行する。
【００４７】
次に、単語登録システム１０の動作について説明する。
【００４８】
まず、スキャナー２４によって原稿から読み取った画像のデータを通信部２６経由でコンピューター３０に送信する場合の画像形成装置２０の動作について説明する。
【００４９】
図４は、スキャナー２４によって原稿から読み取った画像のデータを通信部２６経由でコンピューター３０に送信する場合の画像形成装置２０の動作のフローチャートである。
【００５０】
画像形成装置２０の制御部２８は、スキャナー２４によって原稿から読み取った画像のデータを通信部２６経由でコンピューター３０に送信する動作の実行が操作部２１を介して指示されると、図４に示す動作を実行する。
【００５１】
図４に示すように、制御部２８は、スキャナー２４によって原稿から画像を読み取る（Ｓ１０１）。
【００５２】
次いで、特定処理実行手段２８ｅは、Ｓ１０１において読み取られた画像のデータを通信部２６経由でコンピューター３０に送信する（Ｓ１０２）。
【００５３】
次いで、画像文字列取得手段２８ａは、Ｓ１０１において読み取られた画像からＯＣＲ（Ｏｐｔｉｃａｌ  Ｃｈａｒａｃｔｅｒ  Ｒｅｃｏｇｎｉｔｉｏｎ）機能による文字認識によって文字列を取得する（Ｓ１０３）。例えば、Ｓ１０１において読み取られた画像が図５に示す画像４０である場合、画像文字列取得手段２８ａは、画像４０から「文字を印字する」という文字列を取得する。
【００５４】
次いで、単語取得手段２８ｃは、Ｓ１０３において取得された文字列から自然言語処理によって単語を取得する（Ｓ１０４）。例えば、Ｓ１０３において取得された文字列が「文字を印字する」である場合、単語取得手段２８ｃは、文字列「文字を印字する」に対して形態素解析を行って、名詞「文字」、助詞「を」、名詞「印字」および動詞「する」という４つの単語を取得する。
【００５５】
次いで、単語登録手段２８ｄは、Ｓ１０４において取得された単語を記憶部２７上の言語辞書に登録して（Ｓ１０５）、図４に示す動作を終了する。ここで、単語登録手段２８ｄは、単語を登録する言語辞書が記憶部２７に存在しない場合、記憶部２７上に新たに言語辞書を作成し、作成した言語辞書に単語を登録する。また、単語登録手段２８ｄは、言語辞書に登録する予定の単語が既に言語辞書に登録済みである場合、この単語については言語辞書に登録しない。
【００５６】
Ｓ１０３〜Ｓ１０５の処理は、Ｓ１０２の処理より前に実行されても良いし、Ｓ１０２の処理と並行して実行されても良い。
【００５７】
次に、通信部２６によって受け取った印刷データに基づいてプリンター２３によって記録媒体に画像を印刷する場合の画像形成装置２０の動作について説明する。
【００５８】
図６は、通信部２６によって受け取った印刷データに基づいてプリンター２３によって記録媒体に画像を印刷する場合の画像形成装置２０の動作のフローチャートである。
【００５９】
コンピューター３０は、操作部３１を介して入力された指示に応じて、プリンタードライバー３５ａによって画像形成装置２０用の印刷データを生成し、生成した印刷データを通信部３４経由で画像形成装置２０に送信する。画像形成装置２０の制御部２８は、通信部２６経由で印刷データを受信すると、図６に示す動作を実行する。
【００６０】
図６に示すように、特定処理実行手段２８ｅは、通信部２６によって受け取られた印刷データをインタープリットする（Ｓ１２１）。
【００６１】
次いで、特定処理実行手段２８ｅは、Ｓ１２１においてインタープリットした印刷データに基づいてプリンター２３によって記録媒体に画像を印刷する（Ｓ１２２）。
【００６２】
次いで、印刷データ文字列取得手段２８ｂは、Ｓ１２１においてインタープリットされた印刷データから文字列を取得する（Ｓ１２３）。例えば、対象印刷データが図７に示す印刷データ５０である場合、印刷データ文字列取得手段２８ｂは、印刷データ５０から「文字を印字する」という文字列を取得する。
【００６３】
次いで、単語取得手段２８ｃは、Ｓ１０４の処理と同様に、Ｓ１２３において取得された文字列から自然言語処理によって単語を取得する（Ｓ１２４）。
【００６４】
次いで、単語登録手段２８ｄは、Ｓ１０５の処理と同様に、Ｓ１２４において取得された単語を記憶部２７上の言語辞書に登録して（Ｓ１２５）、図６に示す動作を終了する。
【００６５】
Ｓ１２３〜Ｓ１２５の処理は、Ｓ１２２の処理より前に実行されても良いし、Ｓ１２２の処理と並行して実行されても良い。
【００６６】
なお、画像形成装置２０の制御部２８は、記憶部２７に記憶されている言語辞書に対する編集を、操作部２１を介して入力される指示、または、コンピューター３０などの外部のデバイスから通信部２６経由で入力される指示に応じて実行することが可能である。すなわち、制御部２８は、操作部２１または通信部２６を介して入力された特定の単語を特定の言語辞書に追加したり、特定の言語辞書から特定の単語を削除したり、特定の言語辞書に含まれる特定の単語を修正したり、記憶部２７から特定の言語辞書を削除したり、記憶部２７において特定の言語辞書を複製したり、特定の言語辞書を特定の利用者用の単語辞書として設定したり、特定の言語辞書を特定のイベント用の単語辞書として設定したり、特定の言語辞書を特定の場所用の単語辞書として設定したりすることが可能である。
【００６７】
また、画像形成装置２０の制御部２８は、記憶部２７に記憶されている言語辞書を、操作部２１を介して入力される指示、または、コンピューター３０などの外部のデバイスから通信部２６経由で入力される指示に応じて外部に送信することが可能である。すなわち、制御部２８は、記憶部２７に記憶されている言語辞書を外部の画像形成装置や外部のコンピューターに、ネットワーク経由で、または、ＵＳＢメモリーなどの外部の記憶媒体経由で、複製または移動することが可能である。
【００６８】
次に、音声認識を実行する場合の画像形成装置２０の動作について説明する。
【００６９】
コンピューター３０の制御部３６は、操作部３１を介して入力された指示に応じて音声認識アプリを起動すると、音声入力部３３への音声の入力を表示部３２を介して利用者に指示する。したがって、利用者は、音声入力部３３に音声を入力する。制御部３６は、音声入力部３３に音声が入力されると、音声入力部３３に入力された音声を画像形成装置２０に送信することによって画像形成装置２０に音声認識を依頼する。
【００７０】
画像形成装置２０の制御部２８は、音声認識が依頼されると、図８に示す動作を実行する。
【００７１】
図８は、音声認識を実行する場合の画像形成装置２０の動作のフローチャートである。
【００７２】
図８に示すように、画像形成装置２０の音声認識手段２８ｆは、依頼された音声認識を、記憶部２７に記憶されている音響辞書および言語辞書を使用して実行する（Ｓ１４１）。
【００７３】
次いで、制御部２８は、Ｓ１４１において実行された音声認識の結果に応じた動作を実行して（Ｓ１４２）、図８に示す動作を終了する。
【００７４】
Ｓ１４２において実行される動作としては、例えば、Ｓ１４１において実行された音声認識の結果としての文字列をコンピューター３０に返信することや、Ｓ１４１において実行された音声認識の結果としての文字列に応じた動作、例えば、記憶部２７に記憶されている特定の情報のコンピューター３０への返信の動作を実行することなどが存在する。制御部２８は、コンピューター３０において実行される音声認識アプリに応じた動作をＳ１４２において実行する。
【００７５】
例えば、会議における参加者の発言内容を文字列で記憶するための音声認識アプリ（以下「会議用音声認識アプリ」という。）を使用した音声認識について説明する。
【００７６】
会議の管理者は、開催する会議の識別情報（以下「会議識別情報」という。）と、この会議の開催場所の情報（以下「開催場所情報」）と、会議用音声認識アプリを起動するためのハイパーリンクとを含む電子メール（以下「会議依頼メール」という。）を、会議の参加予定者に送信することによって、会議の参加予定者に会議への参加を依頼する。会議の参加予定者は、会議依頼メールをコンピューターによって受信した後、会議依頼メールに応じて会議に参加する。そして、会議の参加者は、会議依頼メールに含まれるハイパーリンクを会議においてクリックする。会議の参加者のコンピューターは、会議依頼メールに含まれるハイパーリンクがクリックされると、このコンピューターにインストールされている会議用音声認識アプリを起動する。そして、会議用音声認識アプリを実行しているコンピューターは、この参加者の識別情報と、会議依頼メールに含まれている会議識別情報および開催場所情報とを画像形成装置２０に通知する。したがって、画像形成装置２０の音声認識手段２８ｆは、会議の参加者のコンピューターから通知された参加者の識別情報に応じた利用者用の音響辞書および言語辞書と、このコンピューターから通知された会議識別情報に応じたイベント用の音響辞書および言語辞書と、このコンピューターから通知された開催場所情報に応じた場所用の音響辞書および言語辞書とを、以降、このコンピューターから依頼される音声認識において使用する。そして、音声認識手段２８ｆは、会議の参加者による発言に応じた文字列を、参加者毎に区別可能に記憶部２７上の特定のファイルに記憶する。
【００７７】
画像形成装置２０は、以上において、利用者用の辞書、イベント用の辞書、および、場所用の辞書という３種類の辞書を使用して音声認識を実行している。しかしながら、画像形成装置２０は、２種類以下の辞書を使用して音声認識を実行しても良いし、４種類以上の辞書を使用して音声認識を実行しても良い。
【００７８】
以上に説明したように、画像形成装置２０は、スキャナー２４によってＳ１０１において読み取られた画像からＳ１０３において取得した文字列に基づいて単語を取得する（Ｓ１０４）ので、画像形成装置という比較的一般的なデバイスに対する原稿の読み取りの指示という比較的一般的な操作によって辞書情報に単語を自動で登録する（Ｓ１０５）ことができ、辞書情報に単語を登録する作業者の負担を軽減することができる。
【００７９】
画像形成装置２０は、スキャナー２４によって読み取られた画像に対して通信部２６経由での送信を実行する（Ｓ１０２）場合に、通信部２６経由での送信を実行するだけでなく、辞書情報への単語の登録（Ｓ１０５）も実行するので、辞書情報に単語を登録する作業者の負担を軽減することができる。
【００８０】
なお、画像形成装置２０は、スキャナー２４によって読み取られた画像に対して通信部２６経由での送信を実行する場合以外の場合にも、辞書情報への単語の登録を実行しても良い。例えば、画像形成装置２０は、スキャナー２４によって読み取られた画像に対してファックス通信部２５経由での送信を実行する場合、すなわち、ファックス送信を実行する場合に、辞書情報への単語の登録を実行しても良い。また、画像形成装置２０は、スキャナー２４によって読み取られた画像に対してプリンター２３による印刷を実行する場合、すなわち、コピーを実行する場合に、辞書情報への単語の登録を実行しても良い。また、画像形成装置２０は、スキャナー２４によって読み取られた画像に対して記憶部２７への保存を実行する場合に、辞書情報への単語の登録を実行しても良い。また、画像形成装置２０は、スキャナー２４によって読み取られた画像に対して送信、印刷および保存以外の特定の動作を実行する場合に、辞書情報への単語の登録を実行しても良い。
【００８１】
画像形成装置２０は、スキャナー２４によって読み取られた画像に対する辞書情報への単語の登録を、他の動作とは無関係に単独で実行しても良い。すなわち、画像形成装置２０は、辞書情報への単語の登録のためだけに、スキャナー２４によって原稿から画像を読み取っても良い。
【００８２】
なお、特許文献１に記載された技術においては、ＣＣＤカメラによって撮影された画像から文字認識によって得た単語を辞書情報に登録している。ＣＣＤカメラによって撮影された画像は、ＣＣＤカメラによる撮影環境によっては、不鮮明な文字列が含まれる可能性がある。しかしながら、画像形成装置２０は、原稿から画像を読み取る専用のデバイスであるスキャナー２４によって読み取られた鮮明な画像から文字認識によって得た単語を言語辞書に登録するので、適切な単語を言語辞書に登録することができる。
【００８３】
画像形成装置２０は、通信部２６によって受け取った印刷データからＳ１２３において取得した文字列に基づいて単語を取得する（Ｓ１２４）ので、画像形成装置という比較的一般的なデバイスに対する印刷データの入力という比較的一般的な操作によって辞書情報に単語を自動で登録する（Ｓ１２５）ことができ、辞書情報に単語を登録する作業者の負担を軽減することができる。
【００８４】
画像形成装置２０は、通信部２６によって受け取られた印刷データに対してプリンター２３による印刷を実行する（Ｓ１２２）場合に、プリンター２３による印刷を実行するだけでなく、辞書情報への単語の登録（Ｓ１２５）も実行するので、辞書情報に単語を登録する作業者の負担を軽減することができる。
【００８５】
なお、画像形成装置２０は、通信部２６によって受け取られた印刷データに対してプリンター２３による印刷を実行する場合以外の場合にも、辞書情報への単語の登録を実行しても良い。例えば、画像形成装置２０は、通信部２６によって受け取られた印刷データに対して他の画像形成装置やコンピューターなどの外部のデバイスへの通信部２６経由での送信を実行する場合に、辞書情報への単語の登録を実行しても良い。また、画像形成装置２０は、通信部２６によって受け取られた印刷データに対して記憶部２７への保存を実行する場合に、辞書情報への単語の登録を実行しても良い。また、画像形成装置２０は、通信部２６によって受け取られた印刷データに対して印刷、送信および保存以外の特定の動作を実行する場合に、辞書情報への単語の登録を実行しても良い。
【００８６】
画像形成装置２０は、通信部２６によって受け取られた印刷データに対する辞書情報への単語の登録を、他の動作とは無関係に単独で実行しても良い。すなわち、画像形成装置２０は、辞書情報への単語の登録のためだけに、通信部２６によって印刷データを受け取っても良い。
【００８７】
画像形成装置２０は、辞書情報に単語を登録するだけでなく、単語を登録した辞書情報を使用して音声認識を実行する（Ｓ１４１）ので、利便性を向上することができる。
【００８８】
なお、画像形成装置２０は、本実施の形態において、コンピューター３０から入力された音声に基づいて音声認識を実行する。しかしながら、画像形成装置２０は、音声入力デバイスを備えている場合には、この音声入力デバイスから入力された音声に基づいて音声認識を実行しても良い。
【００８９】
また、画像形成装置２０は、コンピューター３０などの外部のデバイスによって実行される音声認識に対して、音響辞書および言語辞書を提供しても良い。
【００９０】
画像形成装置２０は、本実施の形態において、音声認識用の言語辞書に単語を自動で登録している。しかしながら、画像形成装置２０は、音声認識用の言語辞書以外の辞書に単語を自動で登録しても良い。例えば、画像形成装置２０は、ＯＣＲ機能用の辞書に単語を自動で登録しても良い。
【符号の説明】
【００９１】
２０  画像形成装置
２４  スキャナー（読取デバイス）
２６  通信部（通信デバイス）
２７ｂ  言語辞書（辞書情報）
２７ｃ  単語登録プログラム
２８ａ  画像文字列取得手段
２８ｂ  印刷データ文字列取得手段
２８ｃ  単語取得手段
２８ｄ  単語登録手段
２８ｅ  特定処理実行手段
２８ｆ  音声認識手段
４０  画像
５０  印刷データ
【図１】
2019061034.tif 000003
【図２】
2019061034.tif 000004
【図３】
2019061034.tif 000005
【図４】
2019061034.tif 000006
【図５】
2019061034.tif 000007
【図６】
2019061034.tif 000008
【図７】
2019061034.tif 000009
【図８】
2019061034.tif 000010